(57)【要約】【課題】燃料電池を用い、酸素量の十分に小さい低酸素ガスを供給可能な装置を提供する。【解決手段】本電力及びガス供給装置は、各々が酸素を含む気体と供給された燃料とを用いて電力を生成して酸素の消費された低酸素排ガスを排出する、第１の燃料電池部から第Ｎの燃料電池部までのＮ個の燃料電池部を備えている。ここで、ｎを２からＮまでの各自然数として、第ｎの燃料電池部は、第（ｎ−１）の燃料電池部から排出された低酸素排ガスと供給された燃料とを用いて電力を生成し、少なくとも供給された当該低酸素排ガスよりも小さい酸素量を有する低酸素排ガスを排出し、第Ｎの燃料電池部の排出した低酸素排ガスが外部に供給される。また、ｍを２からＮまでの自然数の少なくとも１つとして、第（ｍ−１）の燃料電池部から排出された低酸素排ガスを、ガス圧をより高くした上で第ｍの燃料電池部に供給するガス圧調整部を更に備えていることも好ましい。【選択図】図１
2019129110.tif 000002
【特許請求の範囲】
【請求項１】
電力及び低酸素ガスを供給可能な電力及びガス供給装置であって、
各々が酸素を含む気体と供給された燃料とを用いて電力を生成して酸素の消費された低酸素排ガスを排出する、第１の燃料電池部から第Ｎ（Ｎは設定された２以上の自然数）の燃料電池部までのＮ個の燃料電池部を備え、
ｎは２からＮまでの各自然数であって、第ｎの燃料電池部は、第（ｎ−１）の燃料電池部から排出された低酸素排ガスと供給された燃料とを用いて電力を生成し、少なくとも供給された当該低酸素排ガスよりも小さい酸素量を有する低酸素排ガスを排出し、
第Ｎの燃料電池部の排出した低酸素排ガスが外部に供給される
ことを特徴とする電力及びガス供給装置。
【請求項２】
ｍは２からＮまでの自然数の少なくとも１つであって、第（ｍ−１）の燃料電池部から排出された低酸素排ガスを、ガス圧をより高くした上で第ｍの燃料電池部に供給するガス圧調整部を更に備えていることを特徴とする請求項１に記載の電力及びガス供給装置。
【請求項３】
前記ガス圧調整部は、第ｍの燃料電池部における酸素量と電流又は電力を最大にする負荷との関係に基づき、第ｍの燃料電池部に対する負荷に合わせて酸素をより多く消費するように、第（ｍ−１）の燃料電池部から排出された低酸素排ガスにおけるガス圧を調整することを特徴とする請求項２に記載の電力及びガス供給装置。
【請求項４】
第（ｍ−１）の燃料電池部から排出された低酸素排ガスの高められたガス圧に合わせて当該燃料の圧力も高くした上で、当該燃料を第ｍの燃料電池部に供給する燃料圧調整部を更に備えていることを特徴とする請求項２又は３に記載の電力及びガス供給装置。
【請求項５】
ガス圧の高められた低酸素排ガスを、第ｍの燃料電池部へ供給する前に収容する収容部を更に備えていることを特徴とする請求項２から４のいずれか１項に記載の電力及びガス供給装置。
【請求項６】
ｍは２からＮまでの自然数の少なくとも１つであって、第ｍの燃料電池部における酸素量と電流又は電力を最大にする負荷との関係に基づき、第（ｍ−１）の燃料電池部から排出された低酸素排ガスにおける酸素量に合わせて酸素をより多く消費するように、第ｍの燃料電池部に対する負荷を調整する負荷調整部を更に備えていることを特徴とする請求項１から５のいずれか１項に記載の電力及びガス供給装置。
【請求項７】
第１の燃料電池部に供給される当該酸素を含む気体における酸素量を、第１の燃料電池部における酸素量と電流、電圧又は電力との関係から算出される酸素量閾値であって、酸素量の減少に伴う電流、電圧又は電力の減少率不連続点に相当する酸素量閾値以下に設定する第１酸素量調整部を更に備えていることを特徴とする請求項１から６のいずれか１項に記載の電力及びガス供給装置。
【請求項８】
第ｎの燃料電池部における負荷を、第（ｎ−１）の燃料電池部における負荷と比べて同等に又はより高くすることを特徴とする請求項１から７のいずれか１項に記載の電力及びガス供給装置。
【請求項９】
第１の燃料電池部及び第ｎの燃料電池部は各々、１つの燃料電池であることを特徴とする請求項１から８のいずれか１項に記載の電力及びガス供給装置。
【請求項１０】
第１の燃料電池部及び第ｎの燃料電池部は各々、複数のセルを含む１つの燃料電池における、少なくとも１つのセルを含む燃料電池部分であることを特徴とする請求項１から８のいずれか１項に記載の電力及びガス供給装置。
【請求項１１】
電力及び低酸素ガスを供給する電力及びガス供給方法であって、
各々が酸素を含む気体と供給された燃料とを用いて電力を生成して酸素の消費された低酸素排ガスを排出する、第１の燃料電池部から第Ｎ（Ｎは設定された２以上の自然数）の燃料電池部までのＮ個の燃料電池部を用い、
ｎは２からＮまでの各自然数を昇順にとる値であって、第ｎの燃料電池部を用いて、第（ｎ−１）の燃料電池部から排出された低酸素排ガスと供給された燃料とから電力を生成し、少なくとも供給された当該低酸素排ガスよりも小さい酸素量を有する低酸素排ガスを排出し、
第Ｎの燃料電池部の排出した低酸素排ガスを外部に供給する
ことを特徴とする電力及びガス供給方法。
【請求項１２】
１気圧の空気よりも酸素量の小さい低酸素ガスと、供給された燃料とを用いて電力を生成し、当該低酸素ガスと比較して酸素量のより低減させられた不活性なガスを排出する燃料電池部を備えていることを特徴とする、不活性なガスを供給可能な不活性ガス供給装置。
【請求項１３】
当該低酸素ガスにおける酸素量は、前記燃料電池部における酸素量と電流、電圧又は電力との関係から算出される酸素量閾値であって、酸素量の減少に伴う電流、電圧又は電力の減少率不連続点に相当する酸素量閾値以下であることを特徴とする請求項１２に記載の不活性ガス供給装置。
【請求項１４】
当該低酸素ガスを、ガス圧をより高くした上で前記燃料電池部に供給するガス圧調整部を更に備えていることを特徴とする請求項１２又は１３に記載の不活性ガス供給装置。
【請求項１５】
前記ガス圧調整部は、前記燃料電池部における酸素量と電流又は電力を最大にする負荷との関係に基づき、前記燃料電池部に対する負荷に合わせて酸素をより多く消費するように、前記燃料電池部から排出された低酸素排ガスにおけるガス圧を調整することを特徴とする請求項１４に記載の不活性ガス供給装置。
【請求項１６】
当該低酸素ガスの高められたガス圧に合わせて当該燃料の圧力も高くした上で、当該燃料を前記燃料電池部に供給する燃料圧調整部を更に備えていることを特徴とする請求項１４又は１５に記載の不活性ガス供給装置。
【請求項１７】
前記燃料電池部における酸素量と電流又は電力を最大にする負荷との関係に基づき、当該低酸素ガスにおける酸素量に合わせて酸素をより多く消費するように、前記燃料電池部に対する負荷を調整する負荷調整部を更に備えていることを特徴とする請求項１２から１６のいずれか１項に記載の不活性ガス供給装置。
【請求項１８】
酸素を含む気体と供給された燃料とを用いて電力を生成する燃料電池部と、
当該気体を、気体圧をより高くした上で前記燃料電池部に供給するガス圧調整部と
を備えていることを特徴とする、電力を供給可能な電力供給装置。
【請求項１９】
当該気体の高められた気体圧に合わせて当該燃料の圧力も高くした上で、当該燃料を前記燃料電池部に供給する燃料圧調整部を更に備えていることを特徴とする請求項１８に記載の電力供給装置。
【請求項２０】
前記燃料電池部から排出される水の電気分解を行い、当該燃料として使用される水素と酸素とを生成する電気分解部と、
生成された酸素を用いて当該酸素を含む気体を生成させる酸素量調整部と
を更に備えていることを特徴とする請求項１８又は１９に記載の電力供給装置。
【請求項２１】
前記電気分解部は、少なくとも回生電力を用いて当該水の電気分解を行うことを特徴とする請求項２０に記載の電力供給装置。
【発明の詳細な説明】
【技術分野】
【０００１】
本発明は、電力やガスを生成し、装置やシステムに供給する技術に関する。
【背景技術】
【０００２】
近年、燃料電池の利用が盛んに進められている。例えば、燃料電池自動車が実用化され、家庭用燃料電池設備も普及しつつある。燃料電池を用いれば高効率の発電が実現するのみならず、従来の内燃機関を用いた発電手段とは異なり、二酸化炭素の排出を概ねゼロにすることも可能となる。このことから、燃料電池技術は、低炭素化社会の実現に大きく資するものと期待されている。
【０００３】
本願発明者等は、このような燃料電池のポテンシャルに注目し、特許文献１及び２に記載されているように、燃料電池を利用した半田付け装置を発明してきた。この半田付け装置では、燃料電池で生成した電力だけでなく、発電によって発生する排ガスをも半田付け装置に供給して利用している。
【先行技術文献】
【特許文献】
【０００４】
【特許文献１】特開２０１３−２３３５４９号公報
【特許文献２】特開２０１６−１６４９８７号公報
【発明の概要】
【発明が解決しようとする課題】
【０００５】
さらに、本願発明者等は、燃料電池を利用すれば、様々な装置やシステムに対し、当該装置やシステムで必要とされるエネルギーや物質をまとめて又は一括して供給することができることに思い至った。
【０００６】
すなわち燃料電池を、発電手段としてだけでなく、必要とされるエネルギーや物質を準備し提供するための手段として捉え直すことによって、広大な用途が開かれることを発見したのである。
【０００７】
ここで特に、電力と合わせ、又は電力とは別に、酸素ガス分が十分に除去された不活性なガス、例えば純度の高い窒素ガスを供給できれば、相当の費用をかけてそのような不活性ガスを使用している設備、装置やシステムに対し、より低コストの不活性ガスをより簡便に提供することも可能となる。
【０００８】
そこで、本発明は、燃料電池を用い、電力と合わせ又は電力とは別に、酸素量の十分に小さい低酸素ガスを供給可能な装置及び方法を提供することを目的とする。
【課題を解決するための手段】
【０００９】
本発明によれば、電力及び低酸素ガスを供給可能な電力及びガス供給装置であって、
各々が酸素を含む気体と供給された燃料とを用いて電力を生成して酸素の消費された低酸素排ガスを排出する、第１の燃料電池部から第Ｎ（Ｎは設定された２以上の自然数）の燃料電池部までのＮ個の燃料電池部を備え、
ｎは２からＮまでの各自然数であって、第ｎの燃料電池部は、第（ｎ−１）の燃料電池部から排出された低酸素排ガスと供給された燃料とを用いて電力を生成し、少なくとも供給された当該低酸素排ガスよりも小さい酸素量を有する低酸素排ガスを排出し、
第Ｎの燃料電池部の排出した低酸素排ガスが外部に供給される
ことを特徴とする電力及びガス供給装置が提供される。
【００１０】
この本発明による電力及びガス供給装置の一実施形態として、本電力及びガス供給装置は、ｍは２からＮまでの自然数の少なくとも１つであって、第（ｍ−１）の燃料電池部から排出された低酸素排ガスを、ガス圧をより高くした上で第ｍの燃料電池部に供給するガス圧調整部を更に備えていることも好ましい。
【００１１】
また、このガス圧調整部は、第ｍの燃料電池部における酸素量と電流又は電力を最大にする負荷との関係に基づき、第ｍの燃料電池部に対する負荷に合わせて酸素をより多く消費するように、第（ｍ−１）の燃料電池部から排出された低酸素排ガスにおけるガス圧を調整することも好ましい。
【００１２】
さらに、本発明による電力及びガス供給装置の他の実施形態として、本電力及びガス供給装置は、第（ｍ−１）の燃料電池部から排出された低酸素排ガスの高められたガス圧に合わせて当該燃料の圧力も高くした上で、当該燃料を第ｍの燃料電池部に供給する燃料圧調整部を更に備えていることも好ましい。
【００１３】
また、本発明による電力及びガス供給装置の更なる他の実施形態として、本電力及びガス供給装置は、ガス圧の高められた低酸素排ガスを、第ｍの燃料電池部へ供給する前に収容する収容部を更に備えていることも好ましい。
【００１４】
さらに、本発明による電力及びガス供給装置の更なる他の実施形態として、本電力及びガス供給装置は、ｍは２からＮまでの自然数の少なくとも１つであって、第ｍの燃料電池部における酸素量と電流又は電力を最大にする負荷との関係に基づき、第（ｍ−１）の燃料電池部から排出された低酸素排ガスにおける酸素量に合わせて酸素をより多く消費するように、第ｍの燃料電池部に対する負荷を調整する負荷調整部を更に備えていることも好ましい。
【００１５】
また、本発明による電力及びガス供給装置の更なる他の実施形態として、本電力及びガス供給装置は、第１の燃料電池部に供給される当該酸素を含む気体における酸素量を、第１の燃料電池部における酸素量と電流、電圧又は電力との関係から算出される酸素量閾値であって、酸素量の減少に伴う電流、電圧又は電力の減少率不連続点に相当する酸素量閾値以下に設定する第１酸素量調整部を更に備えていることも好ましい。
【００１６】
さらに、本発明による電力及びガス供給装置において、第ｎの燃料電池部における負荷を、第（ｎ−１）の燃料電池部における負荷と比べて同等に又はより高くすることも好ましい。
【００１７】
また、本発明による電力及びガス供給装置においては、第１の燃料電池部及び第ｎの燃料電池部が各々、１つの燃料電池であることも好ましい。さらに、複数のセルを含む１つの燃料電池における、少なくとも１つのセルを含む燃料電池部分であることも好ましい。
【００１８】
本発明によれば、また、電力及び低酸素ガスを供給する電力及びガス供給方法であって、
各々が酸素を含む気体と供給された燃料とを用いて電力を生成して酸素の消費された低酸素排ガスを排出する、第１の燃料電池部から第Ｎ（Ｎは設定された２以上の自然数）の燃料電池部までのＮ個の燃料電池部を用い、
ｎは２からＮまでの各自然数を昇順にとる値であって、第ｎの燃料電池部を用いて、第（ｎ−１）の燃料電池部から排出された低酸素排ガスと供給された燃料とから電力を生成し、少なくとも供給された当該低酸素排ガスよりも小さい酸素量を有する低酸素排ガスを排出し、
第Ｎの燃料電池部の排出した低酸素排ガスを外部に供給する
ことを特徴とする電力及びガス供給方法が提供される。
【００１９】
本発明によれば、さらに、1気圧の空気よりも酸素量の小さい低酸素ガスと、供給された燃料とを用いて電力を生成し、当該低酸素ガスと比較して酸素量のより低減させられた不活性なガスを排出する燃料電池部を備えていることを特徴とする、不活性なガスを供給可能な不活性ガス供給装置が提供される。
【００２０】
この本発明による不活性ガス供給装置において、当該低酸素ガスにおける酸素量は、燃料電池部における酸素量と電流、電圧又は電力との関係から算出される酸素量閾値であって、酸素量の減少に伴う電流、電圧又は電力の減少率不連続点に相当する酸素量閾値以下であることも好ましい。
【００２１】
さらに、本発明による不活性ガス供給装置の一実施形態として、本不活性ガス供給装置は、当該低酸素ガスを、ガス圧をより高くした上で燃料電池部に供給するガス圧調整部を更に備えていることも好ましい。
【００２２】
また、このガス圧調整部は、燃料電池部における酸素量と電流又は電力を最大にする負荷との関係に基づき、燃料電池部に対する負荷に合わせて酸素をより多く消費するように、燃料電池部から排出された低酸素排ガスにおけるガス圧を調整することも好ましい。
【００２３】
さらに、本発明による不活性ガス供給装置の他の実施形態として、本不活性ガス供給装置は、当該低酸素ガスの高められたガス圧に合わせて当該燃料の圧力も高くした上で、当該燃料を燃料電池部に供給する燃料圧調整部を更に備えていることも好ましい。
【００２４】
また、本発明による不活性ガス供給装置の更なる他の実施形態として、燃料電池部における酸素量と電流又は電力を最大にする負荷との関係に基づき、当該低酸素ガスにおける酸素量に合わせて酸素をより多く消費するように、燃料電池部に対する負荷を調整する負荷調整部を更に備えていることも好ましい。
【００２５】
本発明によれば、また、酸素を含む気体と供給された燃料とを用いて電力を生成する燃料電池部と、当該気体を、気体圧をより高くした上で燃料電池部に供給するガス圧調整部とを備えていることを特徴とする、電力を供給可能な電力供給装置が提供される。
【００２６】
この本発明による電力供給装置の一実施形態として、本電力供給装置は、当該気体の高められた気体圧に合わせて当該燃料の圧力も高くした上で、当該燃料を燃料電池部に供給する燃料圧調整部を更に備えていることも好ましい。
【００２７】
また、本発明による電力供給装置の一実施形態として、本電力供給装置は、
燃料電池部から排出される水の電気分解を行い、当該燃料として使用される水素と酸素とを生成する電気分解部と、
生成された酸素を用いて当該酸素を含む気体を生成させる酸素量調整部と
を更に備えていることも好ましい。またここで、電気分解部は、少なくとも回生電力を用いて当該水の電気分解を行うことも好ましい。さらに、ガス圧調整部及び／又は燃料圧調整部も、少なくとも回生電力を用いて当該気体の気体圧、及び／又は当該燃料の圧力を高めることも好ましい。
【発明の効果】
【００２８】
本発明によれば、燃料電池を用いて、電力と合わせ又は電力とは別に、酸素量の十分に小さい低酸素ガスを供給することが可能となる。
【図面の簡単な説明】
【００２９】
【図１】本発明による電力及びガス供給装置の一実施形態を示す模式図である。
【図２】燃料電池を用いた本発明の一実施例における、酸素濃度を変化させた場合の各負荷における電流と電圧との関係を示すグラフである。
【図３】燃料電池を用いた上記実施例における、酸素濃度と電流との関係を示すグラフである。
【図４】燃料電池を用いた上記実施例における、酸素濃度と電圧との関係を示すグラフである。
【図５】燃料電池を用いた上記実施例における、酸素濃度と電力との関係を示すグラフである。
【図６】本発明による電力及びガス供給装置の他の実施形態を説明するための模式図である。
【図７】本発明による電力供給装置の一実施形態を示す模式図である。
【図８】本発明による電力及びガス供給システムの一実施形態を示す模式図である。
【発明を実施するための形態】
【００３０】
以下に、本発明を実施するための形態について、添付図面を参照しながら詳細に説明する。なお、各図面において、同一の構成要素は、同一の参照番号を用いて示される。また、同様の構造及び機能を有することが可能な構成要素も、同一の参照番号を用いて示される場合がある。さらに、図面中の構成要素内及び構成要素間の寸法比は、図面の見易さのため、それぞれ任意となっている。
【００３１】
［電力及びガス供給装置］
図１は、本発明による電力及びガス供給装置の一実施形態を示す模式図である。
【００３２】
図１に示したような、本発明の一実施形態としての電力及びガス供給装置１は、「電力」と、酸素濃度を低減させた「低酸素ガス」とを供給する装置であり、Ｎを設定された２以上の自然数として、第１の燃料電池部から第Ｎの燃料電池部までの、直列に接続されたＮ個の燃料電池部を備えている。ちなみに図１ではＮ＝２であり、すなわち、それぞれ燃料電池部としての第１燃料電池１１ａ及び第２燃料電池１１ｂが設けられている。
【００３３】
ここで、各燃料電池部は、酸素を含む気体（空気、又は直前の燃料電池の排ガス）と供給された燃料とを用い、「電力」を生成して酸素の消費された「低酸素排ガス」を排出する。これを一般化してまとめると、ｎを２からＮまでの各自然数として、
（ａ）第ｎの燃料電池部は、第（ｎ−１）の燃料電池部から排出された「低酸素排ガス」と供給された燃料とを用いて「電力」を生成し、少なくとも供給された「低酸素排ガス」よりも小さい酸素量を有する「低酸素排ガス」を排出し、
（ｂ）第Ｎの燃料電池部の排出した低酸素排ガス（窒素ガス）が外部に供給される
のである。
【００３４】
ちなみに図１では、ｎは２だけであるので結局、第２燃料電池１１ｂは、第１燃料電池１１ａから排出された「低酸素排ガス」と供給された燃料とを用いて「電力」を生成し、少なくとも供給された「低酸素排ガス」よりも小さい酸素量を有する「低酸素排ガス」を排出し、これを外部へ供給する。
【００３５】
また、外部に供給される「電力」は、少なくとも第１の燃料電池部（第１燃料電池１１ａ）での発電によって生成されたものとすることができる。すなわち、第ｎの燃料電池部（第２燃料電池１１ｂ）で生成された電力は、外部に供給されてもよく、特に非常に低電力である場合には供給されなくともよい（例えば、装置１内部で使用されてもよい）。
【００３６】
以上のような構成によって、電力及びガス供給装置１は、「電力」と、空気や直前の燃料電池の排ガスよりも小さい酸素量を有する「低酸素ガス」とをまとめて又は一括して外部に供給することができる。ここで、電力及びガス供給装置１の第ｎの燃料電池部（第２燃料電池１１ｂ）は、酸素の消費された「低酸素排ガス」を用い、その酸素量を更に低減させて排出している。これにより、十分に酸素量の小さな（極低酸素濃度の）極低酸素ガスが供給されるのである。
【００３７】
この点、従来の燃料電池応用技術では、燃料電池で使用される酸素は、周囲に無尽蔵に存在する空気からフリーで十分な量だけ取り入れられることが大前提であり、酸素の消費された低酸素ガスを用いて発電を行うことは想定外であった。これに対し、本願発明者等は、このような低酸素ガスを用いても、すなわち低酸素濃度下においても燃料電池が作動し、酸素を消費する発電動作を確実に行うことを発見した。さらに原理的には、酸素が概ね完全に無くなるまで燃料電池を動作させ得ることも見出している。本実施形態の電力及びガス供給装置１は、このような新たな発見・知見に基づいて発明されたものである。
【００３８】
ちなみに、電力及びガス供給装置１によって供給される「低酸素ガス」として、例えば酸素濃度が1000ppm台、すなわち0.1％レベルの酸素濃度を有するガスが実現可能となっている。このような低酸素濃度は、例えば電力及びガス供給先としてリフロー装置を考えた場合、このリフロー装置で通常使用される不活性ガス（窒素ガス）において必要とされる不活性度を満たすレベルとなっている。
【００３９】
同じく図１に示したような電力及びガス供給装置１は、好適な１つの実施形態として、ｍを２からＮまでの自然数の少なくとも１つ（図１ではｍ＝２）とした場合に、第（ｍ−１）の燃料電池部（第１燃料電池１１ａ）から排出された低酸素排ガスを、ガス圧をより高くした上で第ｍの燃料電池部（第２燃料電池１１ｂ）に供給するガス圧調整部（図１では、第２ガス圧調整部１２ｂ）を更に備えている。これにより後に詳細に説明するが、第ｍの燃料電池部（第２燃料電池１１ｂ）において、より効率的に酸素を消費して（発電に使用して）より少ない酸素量の排ガスを生成することが可能となるのである。
【００４０】
この点、後に示す図３〜５における酸素濃度と電流、電圧及び電力との関係を表すグラフからも分かるように、燃料電池において、低酸素領域では、酸素濃度の減少とともに電流、電圧及び電力のいずれもが、指数関数的に急減することが分かっている。このことから、実質的な酸素濃度（電極表面での反応にかかわる酸素密度）を向上させる、ガス圧調整部（第２ガス圧調整部１２ｂ）による高ガス圧化は、それとは逆に、より効率的に酸素を消費させるのに極めて有効となるのである。
【００４１】
ここで本実施形態において、電力及びガス供給装置１はより具体的に、
（ａ）第１燃料電池１１ａ、第１ガス圧調整部１２ａ、第１燃料圧調整部１３ａ、第１酸素量調整部１４２ａ、及び第１負荷調整部１１１ａと、
（ｂ）水蒸気吸収部１４１ａ、酸素量調整部１４２ｂ、ガス圧計１４３ａ、及び湿度計１４４ａを含む第１排ガス収容部１４ａと、
（ｃ）第２燃料電池１１ｂ、第２ガス圧調整部（前部及び後部）１２ｂ、第２燃料圧調整部１３ｂ、及び第２負荷調整部１１１ｂと、
（ｄ）水蒸気吸収部１４１ｂ、酸素量調整部１４２ｃ、ガス圧計１４３ｂ、及び湿度計１４４ｂを含む第２排ガス収容部１４ｂと、
（ｅ）熱交換部１５と
を備えている。また、以下に説明するこれらの構成部の個別動作・連携動作を制御する制御部１０を備えている。
【００４２】
このうち、第１燃料電池１１ａは、空気極（酸素極，陰極，カソード）と燃料極（水素極，陽極，アノード）とで電解質を挟み込んだ構造を有するセルが、間にセパレータを介して複数スタックしたような公知の構成のものとすることができる。また、この第１燃料電池１１ａにおける電池方式としては、固体高分子型燃料電池（ＰＥＦＣ）方式、固体酸化物型燃料電池（ＳＯＦＣ）方式、リン酸型燃料電池（ＰＡＦＣ）方式、又は溶融炭酸塩型燃料電池（ＭＣＦＣ）方式等が採用可能である。
【００４３】
ここで、ＰＥＦＣ方式は、比較的低温で稼働し、電池サイズもコンパクト化可能であることから燃料電池自動車に多く採用されている。また、ＳＯＦＣ方式は、発電効率が高く、通常約700〜約1000℃で稼働し、非常に高温の排ガスを供給することもできる。さらに、ＰＥＦＣ方式及びＰＡＦＣ方式では、反応触媒に白金（Pt）系材料が使用される。この白金系材料は一般に、一酸化炭素（ＣＯ）に暴露されると劣化する。そのため、通常はＣＯ変性除去手段が更に設けられることになる。
【００４４】
このＣＯ変性除去手段は、ＣＯ変性触媒等を用いて、第１燃料電池１１ａに燃料として供給される水素含有ガスに含まれる一酸化炭素ガス分を低減させる。また、ＣＯ選択酸化触媒を用いて、一酸化炭素濃度をさらに低減させるＣＯ選択酸化手段が併設されてもよい。一方で、ＳＯＦＣ方式やＭＣＦＣ方式を採用する場合、少なくとも白金系材料を触媒として使用しないので、このようなＣＯ変性除去手段は必要とされない。
【００４５】
同じく図１において、第１排ガス収容部１４ａは、第２ガス圧調整部（前部）１２ｂによってガス圧の高められた低酸素排ガスを、第２燃料電池１１ｂへ供給する前に収容する収容部である。第１排ガス収容部１４ａに収容された高圧の低酸素排ガスは、第２ガス圧調整部（後部）１２ｂで所定の高いガス圧となるように調整された上で第２燃料電池１１ｂへ供給される。ここで、第２ガス圧調整部（前部）１２ｂはガス圧縮器（コンプレッサ）を含み、第１排ガス収容部１４ａはガスボンベを含み、第２ガス圧調整部（後部）１２ｂはレギュレータを含むものとしてもよい。このような第１排ガス収容部１４ａを設けることによって、ガス圧の高められた低酸素排ガスを、ガス圧を安定させた上で、さらに（後に［フラッディング対策］のところで詳細に説明する）除湿処理を確実に施した上で、継続的に第２燃料電池１１ｂへ供給することが可能となるのである。
【００４６】
水蒸気吸収部１４１ａは、第１燃料電池１１ａから排出された低酸素排ガスにおける水蒸気分を低減又は除去する除湿部である。この水蒸気吸収部１４１ａの具体的構成は、後に説明される［フラッディング対策］のところで詳細に説明される。
【００４７】
酸素量調整部１４２ｂは、第１燃料電池１１ａから排出された低酸素排ガスにおける酸素ガス分を低減させる脱酸素部である。この酸素量調整部１４２ｂを設けることによって、第２燃料電池１１ｂへ供給されるガスの酸素濃度を更に低減させ、それにより、第２燃料電池１１ｂから排出される排ガスにおける酸素量をより小さくすることが可能となる。
【００４８】
酸素量調整部１４２ｂは具体的に、第１燃料電池１１ａから排出された低酸素排ガスにおける酸素ガス分を、
（ａ）脱酸素剤、酸化吸収剤、若しくは酸素吸収カートリッジ等を用いて、又は
（ｂ）鉄（Ｆｅ）、マグネシウム（Ｍｇ）、アルミニウム（Ａｌ）、若しくはマンガン（Ｍｎ）等の酸化し易い金属の粉末若しくは微小片・糸片を用いて
低減することも好ましい。
【００４９】
また変更態様として、酸素量調整部１４２ｂは、空気中の窒素よりも酸素をより通過させるポリイミド等の高分子素材を用いた市販の中空糸膜（いわゆる窒素富化膜）を用いて、酸素ガスを分離し除去するものであってもよい。さらに、ジルコニア固体電解質や、ＢａＯ−ＳｒＯ−ＣｏＯ−Ｆｅ２Ｏ３系の複合酸化物等を用いた酸素分離フィルタによって、酸素ガスを分離し除去するものとすることも可能である。
【００５０】
さらに酸素量調整部１４２ｂは、更なる変更態様として、ゼオライトを含む公知の酸素ガスＰＳＡ（Pressure Swing Adsorption，圧力変動吸着）器を用いて、酸素ガスを分離・除去することも好ましい。
【００５１】
ガス圧計１４３ａは、第１排ガス収容部１４ａから第２燃料電池１１ｂへ供給されるガスのガス圧を計測する。また、湿度計１４４ａは、当該ガスの温度を計測する。制御部１０は、これらの計測値に基づいて、第２ガス圧調整部１２ｂ等の各種調整部の動作を制御する。ちなみに、第１燃料電池１１ａ、第２燃料電池１１ｂ、第１排ガス収容部１４ａ及び第２排ガス収容部１４ｂの各々に温度センサが設けられていて、制御部１０は、これらの温度センサから取得した温度計測値を制御指標の一種として、第１燃料電池１１ａ及び第２燃料電池１１ｂを含む装置１全体の動作を制御することも好ましい。
【００５２】
同じく図１において、第２燃料電池１１ｂは、上述したように、第１燃料電池１１ａから排出された低酸素排ガスにおける酸素量を更に低減させる機能を果たすが、第１燃料電池１１ａと同様の構成のものとすることができる。また、電池方式についても第１燃料電池１１ａと同じ方式のものを採用してもよい。例えば、第１燃料電池１１ａ及び第２燃料電池１１ｂをともにＰＥＦＣ方式の燃料電池とすることも好ましい。勿論、両者が異なる電池方式であるような実施形態も可能である。
【００５３】
以下、第２燃料電池１１ｂにおける低酸素ガス下での動作を調べた実施例を示し、装置１全体における好適な制御・調整について説明する。
【００５４】
図２は、第２燃料電池１１ｂを用いた本発明の一実施例における、酸素濃度を変化させた場合の各負荷における電流と電圧との関係を示すグラフである。
【００５５】
ここで、本実施例では、第２燃料電池１１ｂとして、ホライゾン社製のＦＣＳ−Ｃ１００（ＰＥＦＣ方式，定格出力100W）を使用した。また、この燃料電池の電力出力端子に2Ω（オーム）〜10Ωの負荷を接続し、種々の負荷環境で動作実験を行った。さらに、空気に純窒素ガスを混入させたガスを第２燃料電池１１ｂへ投入するガスとし、酸素濃度計によって酸素濃度を計測して純窒素ガスの混入量を調整することによって、この投入ガスの酸素濃度を、20.9％（体積％）から0.6％（体積％）までの範囲で変化させた。また、この投入ガスは概ね1気圧のガス圧をもって第２燃料電池１１ｂへ投入された。
【００５６】
図２によれば、第２燃料電池１１ｂから出力される電力における電流と電圧とは、いわゆるオームの法則に従い、きれいな正比例の関係を示していることが分かる。ここで、酸素濃度が非常に小さい0.6％の場合においても、この正比例関係は維持されている。通常、燃料電池は、酸素濃度が約21％である空気を用いて燃料を燃焼させ、発電を行うのであるが、本実施例に示すように今回、1％を切るような低酸素濃度下でもこの燃焼・発電動作が正常に行われることが見出された。
【００５７】
言い換えれば、燃料電池における空気極での反応が、1％を切るような低酸素濃度下でも、少ない酸素量なりにそれに応じて正常に進行することが分かったのである。ちなみに、この電池動作（電極反応）は、いずれの負荷条件においても、酸素濃度が3.8〜4.2％を下回ると断続的になる。しかしながら停止することはなく、確実に酸素を用いた反応が進行することが分かっている。
【００５８】
図３は、第２燃料電池１１ｂを用いた上記実施例における、酸素濃度と電流との関係を示すグラフである。ちなみに、図３（Ａ）では、横軸の酸素濃度は、0体積％を0とし、20.9体積％を1とする規格値（酸素濃度／20.9）となっている。また、後に説明する図４（Ａ）及び図５（Ａ）の横軸もこれと同様になっている。一方、図３（Ｂ）では、酸素濃度の規格値を示す横軸は対数目盛となっている。さらに、後に説明する図４（Ｂ）及び図５（Ｂ）の横軸もこれと同様になっている。
【００５９】
ここで、図３（Ａ）及び図３（Ｂ）に示したような電流値は、空気極での反応（1/2Ｏ2→Ｏ-2＋2ｅ-）にかかわる酸素（Ｏ2）の量に概ね比例するものと考えられる。したがって、より多くの酸素（Ｏ2）を電極反応で消費させるためには、負荷及び／又は酸素濃度を調整して、この電流値をより大きくすることが重要となる。
【００６０】
図３（Ａ）によれば、いずれの負荷条件下においても、酸素濃度が低下するとともに、第２燃料電池１１ｂからの電流は小さくなっている。また、酸素濃度が少なくとも0.2（規格値）以上の条件では、負荷値が小さいほど、より大きな電流が得られている。次に、酸素濃度が0.2（規格値）未満の条件での、酸素濃度と電流を最大にする負荷との関係を明確にするため、酸素濃度規格値を示す横軸を対数目盛とした図３（Ｂ）のグラフを参照する。
【００６１】
図３（Ｂ）によれば、電流値は、いずれの負荷条件下においても、酸素濃度規格値の対数の一次関数となっており、同図のグラフ上のデータ点は直線上に載っている。また、いずれの負荷条件下においても、この一次関数の変数係数が不連続に変化する点（減少率不連続点）が存在する。図３（Ｂ）では、負荷条件が2Ω、3Ω、5Ω及び10Ωであるグラフ線上の減少率不連続点はそれぞれ、IP1、IP2、IP3及びIP4として示されている。
【００６２】
ちなみに、これらの減少率不連続点IP1、IP2、IP3及びIP4はそれぞれ、後に説明する図４（Ｂ）（酸素濃度規格値の対数と電圧との関係）のグラフでも、図５（Ｂ）（酸素濃度規格値の対数と電力との関係）のグラフでも、全て同じ酸素濃度（規格値）位置に出現している。このことから、この減少率不連続点を境にして酸素濃度が高い側では、空気極表面において（電極反応によって）即座に消費される酸素量の上限（酸素量閾値）を超える酸素（Ｏ2）が、空気極に向けて供給されている可能性が考えられる。
【００６３】
言い換えれば、酸素（Ｏ2）が空気極の手前において、酸素濃度に応じた程度の反応待ち渋滞を起こしていると考えられるのである。また、負荷値が小さくなるほど、より多くの酸素が消費される状況となり（より大きな電流が流れやすくなり）、この反応待ち渋滞を起こす酸素量閾値も高くなっている（すなわち、酸素濃度についてIP1＞IP2＞IP3＞IP4となる）ものと考えられる。
【００６４】
ここで、このような減少率不連続点出現の結果に基づき、第１燃料電池１１ａの空気取り込み側に設置された第１酸素量調整部１４２ａ（図１）によって酸素量を調整することも可能である。第１酸素量調整部１４２ａは、例えば上述した酸素量調整部１４２ｂ（図１）と同様の構造を持つものとすることができ、第１燃料電池１１ａに供給される空気における酸素量（酸素濃度）を、上述した減少率不連続点（IP1、IP2、IP3や、IP4）に相当する「酸素量閾値」以下に低減させる機能を果たす。ちなみに、この減少率不連続点に相当する「酸素量閾値」は、図３（Ｂ）に示すような第１燃料電池１１ａにおける酸素量と電流との関係から導出されるだけでなく、後述する酸素量と電圧との関係（図４（Ｂ））や、酸素量と電力との関係（図５（Ｂ））からも導出される。
【００６５】
このように酸素量（酸素濃度）を「酸素量閾値」以下に低減させることにより、空気極の手前における酸素（Ｏ2）の反応待ち渋滞を抑制して、結果的に反応に使用されずに排ガスとして排出されてしまう酸素（Ｏ2）の量を低減させ、最終的に供給される極低酸素ガス（不活性ガス）の低酸素化に資することが可能となるのである。ただし、例えばより大きな電力も合わせて出力したい場合には、第１酸素量調整部１４２ａを使用しないことも可能であり、さらに、後述する図７における「酸素収容部２６ａ」相当の収容部を設けて、第１酸素量調整部１４２ａにおいてこの収容部からの酸素を空気に混入させ、酸素量（酸素濃度）を増大させることも可能である。
【００６６】
図３（Ｂ）によればまた、酸素濃度規格値の対数が小さくなるにつれ、負荷条件が2Ωのグラフ線は、負荷条件が3Ωのグラフ線と交点CP1で交差してこの3Ωのグラフ線の上側から下側に移行している。また、さらに酸素濃度規格値の対数が小さくなるにつれ、この3Ωのグラフ線は、負荷条件が5Ωのグラフ線と交点CP2で交差してこの5Ωのグラフ線の上側から下側に移行しており、さらに、この5Ωのグラフ線は、負荷条件が10Ωのグラフ線と交点CP3で交差してこの10Ωのグラフ線の上側から下側に移行している。
【００６７】
ちなみに、図３（Ｂ）のグラフにおいて、各酸素濃度規格値の対数において電流値が最大となるグラフ点のなすグラフ上辺線（IP1、CP1、CP2及びCP3を順次繋いで含むグラフ線）は、第２燃料電池１１ｂにおける酸素量と電流を最大にする負荷との関係を示していると理解される。この関係によれば、低負荷設定が必ずしも大電流をもたらすわけではなく、酸素濃度の低い領域では逆に、負荷の高い方がより大きな電流を得られる場合の生じることが理解される。
【００６８】
ここで、このような第２燃料電池１１ｂにおける酸素量と電流を最大にする負荷との関係に基づき、第２負荷調整部１１１ｂ（図１）は、第１燃料電池１１ａから排出された低酸素排ガスにおける酸素量に合わせて酸素をより多く消費するように、第２燃料電池１１ｂに対する負荷を調整することも好ましい。例えば、図３（Ｂ）において第２燃料電池１１ｂへ投入される酸素濃度規格値が0.1（2.09％）である場合に（第２負荷調整部１１１ｂで設定・切り替え可能な負荷が2Ω，3Ω，5Ω，・・であれば）、第２負荷調整部１１１ｂは、第２燃料電池１１ｂに対する負荷を3Ωに設定することができる（勿論、第２負荷調整部１１１ｂが可変抵抗回路を備え、連続値をもって負荷を調整可能であれば、より細かな負荷設定も可能となる）。
【００６９】
なお、このような負荷調整は、本発明に係る電力及びガス供給装置が、上述したように第１の燃料電池部から第Ｎ（Ｎは設定された２以上の自然数）の燃料電池部までの、直列に接続されたＮ個の燃料電池部を備えている実施形態でも有効となる。この場合、負荷調整部は、ｍを２からＮまでの自然数の少なくとも１つとして、第ｍの燃料電池部における酸素量と電流を最大にする負荷との関係に基づき、第（ｍ−１）の燃料電池部から排出された低酸素排ガスにおける酸素量に合わせて酸素をより多く消費するように、第ｍの燃料電池部に対する負荷を調整することも好ましい。これにより、酸素がより多く消費され、結果的により酸素濃度の低い極低酸素ガスを外部に供給することが可能となるのである。
【００７０】
さらにまた、図３（Ｂ）に示されたような第２燃料電池１１ｂにおける酸素量と電流を最大にする負荷との関係に基づき、第２ガス圧調整部１２ｂ（図１）は、第２燃料電池１１ｂに対する実際の負荷に合わせて酸素をより多く消費するように、第１燃料電池１１ａから排出された低酸素排ガスにおけるガス圧を調整することも好ましい。
【００７１】
例えば、図３（Ｂ）に示したケースで第２燃料電池１１ｂに対する実際の負荷が2Ωである場合に、第２燃料電池１１ｂへ投入される（第１燃料電池１１ａから排出される）低酸素ガスの酸素濃度規格値が0.1（2.09％）であるならば、第２ガス圧調整部１２ｂは、この投入される低酸素ガスのガス圧を1気圧から、{(交点CP1に相当する酸素濃度(体積％))／2.09(体積％)}気圧以上に高めることも好ましい。
【００７２】
すなわち、第２燃料電池１１ｂへ投入するガスのガス圧を高めて、電極反応における実効的な酸素濃度（電極表面における反応にかかわる酸素の単位面積あたりの個数）を、（負荷2Ωの場合に酸素消費が最大化する）交点CP1相当の酸素濃度以上とし、酸素をより多く消費するようにすることも好ましい。例えば、低酸素ガスのガス圧を10倍にすれば、電極表面で電極反応にかかわる酸素の量を10倍とし、結局元のガス圧（1気圧）において10倍の酸素濃度を有するガスを用いた場合に相当する反応を引き出すことができるのである。
【００７３】
なお、このようなガス圧調整は、本発明に係る電力及びガス供給装置が、上述したように第１の燃料電池部から第Ｎ（Ｎは設定された２以上の自然数）の燃料電池部までの、直列に接続されたＮ個の燃料電池部を備えている実施形態でも有効となる。この場合、負荷調整部は、ｍを２からＮまでの自然数の少なくとも１つとして、第ｍの燃料電池部における酸素量と電流を最大にする負荷との関係に基づき、第ｍの燃料電池部に対する負荷に合わせて酸素をより多く消費するように、第（ｍ−１）の燃料電池部から排出された低酸素排ガスにおけるガス圧を調整することも好ましい。これにより、酸素がより多く消費され、結果的により酸素濃度の低い極低酸素ガスを外部に供給することが可能となるのである。
【００７４】
ちなみに、このような第２ガス圧調整部１２ｂ（及び後述する第１ガス圧調整部１２ａ）は、例えば公知のコンプレッサを含む構造とすることができる。また、ガス圧計も備えていて、ガス圧測定値を制御部１０に通知し、制御部１０による制御を受ける構成となっていることも好ましい。
【００７５】
図４は、第２燃料電池１１ｂを用いた上記実施例における、酸素濃度と電圧との関係を示すグラフである。
【００７６】
図４（Ａ）によれば、いずれの負荷条件下においても、酸素濃度が低下するとともに、第２燃料電池１１ｂ（の両電極間）の電圧は低くなっている。また、いずれの酸素濃度条件下であっても、負荷値が大きいほど、より高い電圧が得られている。
【００７７】
また、酸素濃度規格値の横軸を対数目盛とした図４（Ｂ）のグラフによれば、電圧値は、図３（Ｂ）に示した電流値の場合と同様、いずれの負荷条件下においても酸素濃度規格値の対数の一次関数となっており、同図のグラフ上のデータ点は直線上に載っている。
【００７８】
また、いずれの負荷条件下においても、図３（Ｂ）に示した電流値の場合と同様の減少率不連続点IP1、IP2、IP3及びIP4が出現している。上述したように、これらの減少率不連続点IP1、IP2、IP3及びIP4もそれぞれ、酸素濃度規格値に関して、図３（Ｂ）に示した減少率不連続点IP1、IP2、IP3及びIP4と同じ位置に現れているのである。なお、図４（Ｂ）に示した電圧値のグラフでは、図３（Ｂ）に示した電流値のグラフで見られたような交点CP1、CP2及びCP3は、いずれも出現していない。
【００７９】
以上、第２燃料電池１１ｂにおける酸素濃度と電流や電圧との関係の測定結果を示したが、次いで、これらの結果から導出される、酸素濃度と電力（＝電流×電圧）との関係を示す。
【００８０】
図５は、第２燃料電池１１ｂを用いた上記実施例における、酸素濃度と電力との関係を示すグラフである。
【００８１】
ここで、図５（Ａ）及び図５（Ｂ）に示したような電力値は、空気極での反応（1/2Ｏ2→Ｏ-2＋2ｅ-）にかかわる酸素（Ｏ2）の量だけではなく、第２燃料電池１１ｂの内部抵抗等の電池状態を反映した実際の起電力にも影響される量であると考えられる。したがって、より多くの酸素（Ｏ2）を電極反応で消費させ、且つより大きな電力を出力させることも勘案した場合、負荷及び酸素濃度のいずれか一方又は両方を調整して、この電力値をより大きくすることが重要となる。
【００８２】
図５（Ａ）によれば、いずれの負荷条件下においても、酸素濃度が低下するとともに、第２燃料電池１１ｂからの電力は小さくなっている。また、酸素濃度規格値が少なくとも0.35以上の条件では、負荷値が小さいほどより大きな電力が得られており、一方、0.35未満の場合では、負荷と電力との関係が逆転する（グラフ線が交差する）現象が見られる。この逆転現象をより明確にするため、酸素濃度規格値を示す横軸を対数目盛とした図５（Ｂ）のグラフを参照する。
【００８３】
図５（Ｂ）によれば、電力値は、図３（Ｂ）の電流値や図４（Ｂ）の電圧値の場合と同様、いずれの負荷条件下においても酸素濃度規格値の対数の一次関数となっており、同図のグラフ上のデータ点は直線上に載っている。また、いずれの負荷条件下においても、図３（Ｂ）の電流値の場合や図４（Ｂ）の電圧値の場合と同様の減少率不連続点IP1、IP2、IP3及びIP4が出現している。上述したように、これらの減少率不連続点IP1、IP2、IP3及びIP4もそれぞれ、酸素濃度規格値に関して、図３（Ｂ）や図４（Ｂ）に示した減少率不連続点IP1、IP2、IP3及びIP4と同じ位置に現れているのである。
【００８４】
ここで、このような酸素濃度と電力との関係における減少率不連続点出現の結果に基づき、第１燃料電池１１ａの空気取り込み側に設置された第１酸素量調整部１４２ａ（図１）によって酸素量を調整することも可能である。第１酸素量調整部１４２ａは、第１燃料電池１１ａに供給される空気における酸素量（酸素濃度）を、上述した減少率不連続点（IP1、IP2、IP3や、IP4）に相当する「酸素量閾値」以下に低減させる機能を果たす。ちなみに、この減少率不連続点に相当する「酸素量閾値」は、図５（Ｂ）に示すような第１燃料電池１１ａにおける酸素量と電力との関係から導出されるだけでなく、すでに説明したように、酸素量と電流との関係（図３（Ｂ））や、酸素量と電圧との関係（図４（Ｂ））からも導出される。
【００８５】
図５（Ｂ）によればまた、酸素濃度規格値の対数が小さくなるにつれ、負荷条件が2Ωのグラフ線は、負荷条件が3Ωのグラフ線と交点CP1で交差してこの3Ωのグラフ線の上側から下側に移行している。また、さらに酸素濃度規格値の対数が小さくなるにつれ、この3Ωのグラフ線は、負荷条件が5Ωのグラフ線と交点CP2で交差してこの5Ωのグラフ線の上側から下側に移行しており、さらに、この5Ωのグラフ線は、負荷条件が10Ωのグラフ線と交点CP3で交差してこの10Ωのグラフ線の上側から下側に移行している。
【００８６】
なお、このような交点CP1、CP2及びCP3の出現は、上述したように図３（Ｂ）の電流値のグラフでも見られるが、これらの交点CP1、CP2及びCP3の酸素濃度（横軸）についての位置はいずれも、図３（Ｂ）の交点CP1、CP2及びCP3とは異なっており、より高酸素濃度側の位置となっている。
【００８７】
ちなみに、図５（Ｂ）のグラフにおいては、各酸素濃度規格値の対数において電力値が最大となるグラフ点のなすグラフ上辺線（IP1、CP1、CP2及びCP3を順次繋いで含むグラフ線）は、第２燃料電池１１ｂにおける酸素量と電力を最大にする負荷との関係を示していると理解される。この関係によれば、低負荷設定が必ずしも大電力をもたらすわけではなく、酸素濃度の低い領域では逆に、負荷の高い方がより大きな電力を得られる場合の生じることが理解される。
【００８８】
ここで、このような第２燃料電池１１ｂにおける酸素量と電力を最大にする負荷との関係に基づき、第１負荷調整部１１１ａ（図１）は、第１燃料電池１１ａから排出された低酸素排ガスにおける酸素量に合わせて酸素をより多く消費し且つより大きな電力を出力するように、第２燃料電池１１ｂに対する負荷を調整することも好ましい。例えば、図５（Ｂ）において第２燃料電池１１ｂへ投入される低酸素ガスにおける酸素濃度規格値が0.13、すなわちCP3とCP2との間の酸素濃度規格値である場合を考える。ここで、第１負荷調整部１１１ａで設定可能な負荷が2Ω，3Ω，5Ω，10Ω，・・であるとすると、このCP3とCP2との間の酸素濃度規格値範囲において最も電力値の大きい（グラフ線が最も上となっている）負荷は5Ωであるので、第１負荷調整部１１１ａは、第２燃料電池１１ｂに対する負荷を5Ωに設定することができる。
【００８９】
なお、このような負荷調整は、本発明に係る電力及びガス供給装置が、上述したように第１の燃料電池部から第Ｎ（Ｎは設定された２以上の自然数）の燃料電池部までの、直列に接続されたＮ個の燃料電池部を備えている実施形態でも有効となる。この場合、負荷調整部は、ｍを２からＮまでの自然数の少なくとも１つとして、第ｍの燃料電池部における酸素量と電力を最大にする負荷との関係に基づき、第（ｍ−１）の燃料電池部から排出された低酸素排ガスにおける酸素量に合わせて酸素をより多く消費し且つより大きな電力を出力するように、第ｍの燃料電池部に対する負荷を調整することも好ましい。
【００９０】
またさらに、図５（Ｂ）に示されたような第２燃料電池１１ｂにおける酸素量と電力を最大にする負荷との関係に基づき、第２ガス圧調整部１２ｂ（図１）は、第２燃料電池１１ｂに対する実際の負荷に合わせて酸素をより多く消費し且つより大きな電力を出力するように、第１燃料電池１１ａから排出された低酸素排ガスにおけるガス圧を調整することも好ましい。
【００９１】
例えば、図５（Ｂ）に示したケースで第２燃料電池１１ｂにかかる実際の負荷が2Ωであって、第２燃料電池１１ｂへ投入される（第１燃料電池１１ａから排出される）低酸素ガスの酸素濃度規格値が0.1（2.09体積％）である場合を考える。ここで、負荷2Ωにおける電力値が（全ての負荷条件における電力値の中で）最も大きくなる（グラフ線が最も上となる）のは、酸素濃度規格値がCP1の酸素濃度規格値以上においてとなっている。そこで、第２ガス圧調整部１２ｂは、この投入される低酸素ガスのガス圧を1気圧から、{(CP1の酸素濃度(体積％))／2.09(体積％)}気圧以上に高め、酸素濃度が2.09体積％である当該低酸素ガスにおける実質的な酸素濃度を、CP1以上のものにすることも好ましい。
【００９２】
すなわち、第２燃料電池１１ｂへ投入するガスのガス圧を高めて、電極反応における実効的な酸素濃度（電極表面での反応にかかわる酸素密度）を、（負荷2Ωの場合に酸素消費が最大化する）交点CP1相当の酸素濃度以上とし、酸素をより多く消費し且つより大きな電力を出力するようにすることも好ましいのである。
【００９３】
なお、このようなガス圧調整は、本発明に係る電力及びガス供給装置が、上述したように第１の燃料電池部から第Ｎ（Ｎは設定された２以上の自然数）の燃料電池部までの、直列に接続されたＮ個の燃料電池部を備えている実施形態でも有効となる。この場合、負荷調整部は、ｍを２からＮまでの自然数の少なくとも１つとして、第ｍの燃料電池部における酸素量と電力を最大にする負荷との関係に基づき、第ｍの燃料電池部に対する負荷に合わせて酸素をより多く消費し且つより大きな電力を出力するように、第（ｍ−１）の燃料電池部から排出された低酸素排ガスにおけるガス圧を調整することも好ましい。
【００９４】
以上、図３〜５を用いて酸素濃度と電流、電圧及び電力との間の特徴的な関係を説明したが、ＰＥＦＣ方式以外の燃料電池、特にＳＯＦＣ方式の燃料電池においても、その動作原理からして同様の傾向の関係が得られると考えられる。また、特に、図３（Ｂ）及び図５（Ｂ）に示された酸素濃度と電流又は電力を最大にする負荷との関係からすると、次のような好適な実施態様が可能となる。
【００９５】
すなわち、本発明に係る電力及びガス供給装置が、上述したように第１の燃料電池部から第Ｎ（Ｎは設定された２以上の自然数）の燃料電池部までの、直列に接続されたＮ個の燃料電池部を備えている場合において、ｎを２からＮまでの各自然数として、第ｎの燃料電池部における負荷を、第（ｎ−１）の燃料電池部における負荷と比べて同等に又はより高く設定することも好ましい。これにより、出力側により近い（ｎ値のより大きい）燃料電池部ほど、投入されるガスの酸素濃度が大幅に低下している状況に合わせ、より大きな電流値又は電力値を得て、より多くの酸素を消費することが可能となるのである。
【００９６】
例えば、図１に示した（Ｎ＝2である）実施形態においては、第２燃料電池１１ｂに対する負荷を、第１燃料電池１１ａに対する負荷よりも高くすることも好ましい。なお、低酸素濃度領域では燃料電池の起電力（定格電力）は十全に発揮されることはないので、第２燃料電池１１ｂには、第１燃料電池１１ａよりも定格電力の小さいものを採用することで十分であるといえる。
【００９７】
図１の装置構成図に戻って、第２燃料圧調整部１３ｂは、例えば公知のコンプレッサを含む構造を有し、第１燃料電池１１ａから排出された低酸素排ガスのガス圧が第２ガス圧調整部１２ｂによって高められる場合に、この高められたガス圧に合わせて燃料（水素ガス）の圧力も高くした上で、この燃料（水素ガス）を第２燃料電池１１ｂに供給する。これにより、第２燃料電池１１ｂにおける電解質や空気極膜及び燃料極膜が圧力差によって損傷することを防止できる。
【００９８】
なお、このような燃料圧調整は、本発明に係る電力及びガス供給装置が、上述したように第１の燃料電池部から第Ｎ（Ｎは設定された２以上の自然数）の燃料電池部までの、直列に接続されたＮ個の燃料電池部を備えている実施形態でも有効となる。この場合、燃料圧調整部は、ｍを２からＮまでの自然数の少なくとも１つとして、第（ｍ−１）の燃料電池部から排出された低酸素排ガスの高められたガス圧に合わせて燃料の圧力も高くした上で、この燃料を第ｍの燃料電池部に供給することも好ましい。
【００９９】
ちなみに、燃料となる水素は、例えば、水素ボンベに14気圧程度で充填された形で取得されるが、通常、大気圧（1気圧）に対する差圧が0.05〜0.1気圧程度になるまで減圧して使用される。これに対し、本実施形態の第２燃料圧調整部１３ｂは、公知のレギュレータを含む構造のものとなっており、第２ガス圧調整部１２ｂによって高められたガス圧に合わせ、この水素ボンベからの水素を十分に高いガス圧に調整した上で、第２燃料電池１１ｂに供給することができる。
【０１００】
同じく図１において、電力及びガス供給装置１は、第１ガス圧調整部１２ａを備えていてもよい。第１ガス圧調整部１２ａは、第１燃料電池１１ａに供給される空気（酸素を含む気体）における酸素量を、第１燃料電池における酸素量と電流、電圧又は電力との関係（例えば図３（Ｂ）、図４（Ｂ）又は図５（Ｂ）に示したような関係）から算出される「酸素量閾値」であって、酸素量の減少に伴う電流、電圧又は電力の「減少率不連続点」（IP1、IP2、IP3又はIP4）に相当する「酸素量閾値」以下に設定することも好ましい。
【０１０１】
これにより、空気極の手前において反応待ち渋滞を起こし、結果的に反応に使用されずに排ガスとして排出されてしまう酸素（Ｏ2）の量を抑制して、第１燃料電池１１ａからの低酸素排ガスにおける酸素量をより小さくし、最終的に供給される極低酸素ガス（不活性ガス）の低酸素化に資することが可能となるのである。
【０１０２】
ちなみに、このような第１ガス圧調整部１２ａは、例えば公知の減圧器やコンプレッサを含む構造とすることができる。
【０１０３】
また、第１燃料圧調整部１３ａは、第１燃料電池１１ａに供給される空気（酸素を含む気体）のガス圧が第１ガス圧調整部１２ａによって調整された場合に、この調整されたガス圧に合わせて燃料（水素ガス）の圧力も調整した上で、この燃料（水素ガス）を第１燃料電池１１ａに供給する。これにより、第１燃料電池１１ａにおける電解質や空気極膜及び燃料極膜が圧力差によって損傷することを防止できる。
【０１０４】
同じく図１において、電力及びガス供給装置１は、第１負荷調整部１１１ａを備えていてもよい。第１負荷調整部１１１ａは、第１燃料電池１１ａに対する負荷について、上述した第２負荷調整部１１１ｂと同様の機能を果たし、第１燃料電池１１ａにおける酸素量と電流又は電力を最大にする負荷との関係に基づき、第１燃料電池１１ａに投入される空気（酸素を含む気体）における酸素量に合わせて酸素をより多く消費するように、第１燃料電池１１ａに対する負荷を調整することができる。
【０１０５】
第２排ガス収容部１４ｂは、第２燃料電池１１ｂから排出された極低酸素排ガスを、外部へ供給する前に収容する収容部であり、ガスボンベを含むものとすることができる。このような第２排ガス収容部１４ｂを設けることによって、極低酸素排ガスを、ガス圧を安定させた上で継続的に外部へ供給することが可能となる。ちなみに、後に［フラッディング対策］のところで詳細に説明するように、この第２排ガス収容部１４ｂを設けることによって、十分な除湿処理を実施することもできるのである。
【０１０６】
なお、第２排ガス収容部１４ｂ内に設けられた水蒸気吸収部１４１ｂ、酸素量調整部１４２ｃ、ガス圧計１４３ｂ及び湿度計１４４ｂはそれぞれ、上述した水蒸気吸収部１４１ａ、酸素量調整部１４２ｂ、ガス圧計１４３ａ及び湿度計１４４ａと同様のものである。制御部１０（図１）は、これらの機能構成部を用いて、外部に供給すべき極低酸素ガスの状態を計測して調整し、好適な極低酸素ガスを外部へ供給させるのである。
【０１０７】
ここで、例えば、第２ガス圧調整部１２ｂによって高圧状態にされた第１燃料電池１１ａからの排ガスも、第２燃料電池１１ｂにおける電極反応によって酸素分を消費させられた後、ほぼ同等の高圧状態で排出され、その後、第２排ガス収容部１４ｂにおいてガス圧を例えば概ね1気圧に戻されることによって、非常に酸素量の少ない極低酸素ガスとしての不活性ガス（窒素ガス）となるのである。
【０１０８】
同じく図１において、熱交換部１５は、第１燃料電池１１ａや第２燃料電池１１ｂにおいて電力生成の際に発生する熱を、外部の装置やシステムに伝達し供給する熱伝達部である。このような熱交換部１５を備えた実施形態によれば、電力及びガス供給装置１は、外部の装置やシステムへ電力及び極低酸素ガスのみならず、熱エネルギーも供給することができる。
【０１０９】
以上、電力及びガス供給装置１の構成・動作を詳細に説明したが、電力及びガス供給装置１の主要部である第１燃料電池１１ａ及び第２燃料電池は各々、１つの独立した燃料電池となっている。すなわち、以上に説明した実施形態では、第１の燃料電池部から第Ｎ（Ｎは設定された２以上の自然数）の燃料電池部までのＮ個の燃料電池部が設けられている場合に、第１の燃料電池部及び第ｎ（ｎは２からＮまでの各自然数）の燃料電池部は各々、１つの燃料電池となっている。これに対し、全く異なる他の実施形態を次に説明する。
【０１１０】
図６は、本発明による電力及びガス供給装置の他の実施形態を説明するための模式図である。
【０１１１】
図６によれば、本実施形態の電力及びガス供給装置１’は、複数のセル（図６では第１セル１１Ａ〜第４セル１１Ｄの４つのセル）を含む１つの燃料電池１１’を備えており、
（ａ）第１セル１１Ａ及び第２セル１１Ｂが、「第１の燃料電池部」を構成し、
（ｂ）第３セル１１Ｃ及び第４セル１１Ｄが、「第２の燃料電池部」を構成している。
【０１１２】
このように、電力及びガス供給装置１’においても、「第１の燃料電池部」と「第２の燃料電池部」とは直列に接続されており、
（ａ）空気（酸素を含む気体）及び水素（燃料）を「第１の燃料電池部」に投入して、電力を生成させるとともに、低酸素排ガスを排出させ、
（ｂ）「第１の燃料電池部」から排出された低酸素排ガスを、第２ガス圧調整部１２’をもってガス圧を高めた上で、「第２の燃料電池部」へ導入し、
（ｃ）第２ガス圧調整部１２’で高められたガス圧に合わせ、水素（燃料）の圧力も第２燃料圧調整部１３’で高めた上で当該水素（燃料）を「第２燃料電池部」に供給し、
（ｄ）「第２の燃料電池部」において電力を生成させるとともに、極低酸素ガス（窒素）を排ガスとして排出させるのである。
【０１１３】
勿論、電力及びガス供給装置１’は、電力及びガス供給装置１（図１）の有する種々の機能構成部を同様に備えていてもよい。いずれにしても、電力及びガス供給装置１’は、１つの燃料電池を利用して、電力及びガス供給装置１（図１）と同様の作用効果を実現させることができるのである。
【０１１４】
また、電力及びガス供給装置１’において、１つの「燃料電池部」を構成するセルの数も当然に２つに限定されるものではない。１つ又は３つ以上（好ましくは例えば数十個）のセルをもって１つの「燃料電池部」を構成してもよく、さらに、「燃料電池部」毎に構成するセル数が異なっていてもよい。また、電力及びガス供給装置１’が、第１の燃料電池部から第Ｎ（Ｎは設定された２以上の自然数）の燃料電池部までのＮ個の燃料電池部を備えている場合には、第１の燃料電池部及び第ｎ（ｎは２からＮまでの各自然数）の燃料電池部は各々、（複数のセルを含む）１つの燃料電池における、少なくとも１つのセルを含む燃料電池部分とすることができる。
【０１１５】
またさらに、図１に示した電力及び供給装置１における、第２燃料電池１１ｂ及びその入出力に係る機能構成部をもって、１つの独立した「不活性ガス供給装置」を構成することもできる。この「不活性ガス供給装置」は、図１の第２燃料電池１１ｂを「燃料電池部」として、
（ａ）１気圧の空気よりも酸素量の小さい低酸素ガスと、供給された燃料とを用いて電力を生成し、当該低酸素ガスと比較して酸素量のより低減させられた不活性なガスを排出する「燃料電池部」を備えている
ことを特徴としている。
【０１１６】
ここで、「燃料電池部」に供給される低酸素ガスにおける酸素量は、「燃料電池部」における酸素量と電流、電圧又は電力との関係（例えば電流の場合は図３（Ｂ）のグラフ）から算出される「酸素量閾値」であって、酸素量の減少に伴う電流、電圧又は電力の減少率不連続点（例えば図３（Ｂ）におけるIP1、IP2、IP3や、IP4）に相当する「酸素量閾値」以下であることも好ましい。
【０１１７】
いずれにしても、この不活性ガス供給装置は、外部から（例えば他の燃料電池の排気部から）低酸素ガスを受け取って「燃料電池部」へ供給する低酸素ガス供給部を備えていることも好ましい。
【０１１８】
また、この不活性ガス供給装置は、
（ｂ）当該低酸素ガスを、ガス圧をより高くした上で「燃料電池部」に供給するガス圧調整部（図１の第２ガス圧調整部１２ｂに相当）を更に備えていることも好ましい。
ここで、このガス圧調整部は、例えばコンプレッサを含む構造を有しており、「燃料電池部」における酸素量と電流又は電力を最大にする負荷との関係（例えば電流の場合は図３（Ｂ）のグラフ）に基づき、「燃料電池部」に対する負荷に合わせて酸素をより多く消費するように、「燃料電池部」から排出された低酸素排ガスにおけるガス圧を調整することも好ましい。
【０１１９】
さらに、この不活性ガス供給装置は、
（ｃ）当該低酸素ガスの高められたガス圧に合わせて燃料の圧力も高くした上で、当該燃料を「燃料電池部」に供給する燃料圧調整部（図１の第２燃料圧調整部１３ｂに相当）を更に備えていることも好ましい。
【０１２０】
さらにまた、この不活性ガス供給装置は、
（ｄ）「燃料電池部」における酸素量と電流又は電力を最大にする負荷との関係（例えば電流の場合は図３（Ｂ）のグラフ）に基づき、当該低酸素ガスにおける酸素量に合わせて酸素をより多く消費するように、「燃料電池部」に対する負荷を調整する負荷調整部（図１の負荷調整部１１１ｂに相当）を更に備えていることも好ましい。
【０１２１】
なお、この不活性ガス供給装置の「燃料電池部」は発電を行うのであり、外部に電力を供給することも可能である。すなわち、本不活性ガス供給装置は、電力及び不活性ガスを供給可能な電力及び不活性ガス供給装置とすることもできる。
【０１２２】
［電力供給装置］
図７は、本発明による電力供給装置の一実施形態を示す模式図である。
【０１２３】
図７によれば、本発明の一実施形態としての電力供給装置２は、本実施形態において電動モータ駆動の自動車に搭載され、この電動モータへ電力を供給してこの自動車を走行させる発電装置である。この電力供給装置２は、燃料電池２１ａによって発電を行うので結局、この自動車は燃料電池車ということになる。
【０１２４】
ここで、本実施形態の電力供給装置２は、ガス圧調整部２２を備えており、例えば、（燃料電池２１ａに供給されるべき）空気の圧力が1気圧未満となる高地等においても、燃料電池２１ａへ十分な酸素を供給し、良好な電力供給を行うことができる。また、自動車の登坂時等、より大きな電力を必要とする状況に対応し、例えば1気圧を超える気体圧の空気を、（高出力化に対応して予め大きな定格電力を有する）燃料電池２１ａへ供給し、より大きな電力を出力することも可能となる。
【０１２５】
具体的に本実施形態において、電力供給装置２は、
（ａ）燃料電池２１ａ、負荷調整部２１ｂ、ガス圧調整部２２、空気収容部２４、燃料圧調整部２３、及び燃料収容部２５と、
（ｂ）電気分解部２８、水分離部２７ａ、水収容部２７ｂ、酸素収容部２６ａ、及び酸素量調整部２６ｂと、
（ｃ）熱交換部２９と
を備えている。また、以下に説明するこれらの構成部の個別動作・連携動作を制御する制御部２０を備えている。
【０１２６】
このうち、燃料電池２１ａは、燃料電池自動車に多く採用されているＰＥＦＣ方式のものとすることができる。また当然に、ＳＯＦＣ方式等、他の電池方式の燃料電池とすることも可能である。いずれにしても、燃料電池２１ａは、空気（酸素を含む気体）と供給された水素（燃料）とを用いて電力を生成し、少なくともこの空気（酸素を含む気体）よりも小さい酸素量を有する低酸素排ガスを排出する。また、電極反応の結果として生成される水（水蒸気）も排出する。
【０１２７】
ガス圧調整部２２は、例えば公知のコンプレッサを含む構造を有し、空気（酸素を含む気体）を、気体圧をより高くした上で空気収容部２４を介して燃料電池２１ａに供給する。ここで、燃料電池２１ａの定格電力に応じて、気体圧を単に十分に高くすることも可能であるが、例えば、燃料電池２１ａにおける酸素量と電流又は電力を最大にする負荷との関係（例えば図３（Ｂ）又は図５（Ｂ）に相当する関係）に基づき、燃料電池２１ａに対する負荷に合わせて酸素をより多く消費させより大きな電力を得られるように、当空気（酸素を含む気体）の気体圧を調整することも好ましい。
【０１２８】
ここで、この気体圧は、例えば空気収容部２４内に設置された圧力センサによって計測され、制御部２０がこの計測値に基づいてガス圧調整部２２の圧力調整を制御してもよい。本実施形態では、このような気体圧調整によって、燃料電池自動車における必要時の馬力を向上させたり、酸素の消費効率を上げて燃費の大幅な低下を抑制したりすることができるのである。
【０１２９】
また、このような気体圧調整の変更態様として、トラックやバス等の自動車に搭載されている空気ブレーキ（フルエアブレーキ又は空気油圧複合式ブレーキ）システムを利用することも好ましい。空気ブレーキシステムは、エアコンプレッサによって圧縮した空気を常時エアタンクに貯めておき、ブレーキペダルが踏まれるとリレーバルブを介し、ブレーキチャンバに空気を送ってチャンバロッドを伸ばし、ブレーキを作動させるシステムである。この空気ブレーキシステムを用いれば、1気圧を超える空気を直接、又はレギュレータ機能を備えたガス圧調整部２２を介して燃料電池２１ａへ供給することが可能となる。
【０１３０】
さらに、電力供給装置２を自動車等にではなく工場等で採用する変更態様とはなるが、工場等内に設置された圧縮空気供給設備を利用することも好ましい。この場合、1気圧を超える空気を直接、又はレギュレータ機能を備えたガス圧調整部２２を介して燃料電池２１ａへ供給することができる。
【０１３１】
燃料圧調整部２３は、例えば公知のコンプレッサを含む構造を有し、ガス圧調整部２２において高められた空気圧に合わせて、水素（燃料）の圧力も高くした上で、水素（燃料）を燃料電池２１ａに供給する。これにより、燃料電池２１ａにおける電解質や空気極膜及び燃料極膜が圧力差によって損傷することを防止できる。ちなみに、このような燃料圧調整においては、（15気圧未満の）高圧水素ボンベや、各種水素吸蔵装置・ボンベから供給される高圧の水素を利用することも可能である。
【０１３２】
なお、ガス圧調整部２２や燃料圧調整部２３に備えらえたコンプレッサを稼働させる電力として、後に詳細に説明する回生電力を利用することも好ましい。
【０１３３】
同じく図７において、電力供給装置２は負荷調整部２１ｂを有していてもよい。負荷調整部２１ｂは、燃料電池２１ａにおける酸素量と電流又は電力を最大にする負荷との関係（例えば図３（Ｂ）又は図５（Ｂ）に相当する関係）に基づき、燃料電池２１ａに供給される空気の酸素量に合わせて酸素をより多く消費させより大きな電力を得られるように、
燃料電池２１ａに対する負荷を調整することができる。
【０１３４】
熱交換部２９は、燃料電池２１ａにおいて電力生成の際に発生する熱を、例えば車内の暖房用として自動車に供給する熱伝達部である。このような熱交換部２９を備えた実施形態によれば、電力供給装置２は、電力のみならず熱エネルギーも外部へ供給することができる。
【０１３５】
さらに、本実施形態において電力供給装置２は、水分離部２７ａ、水収容部２７ｂ及び電気分解部２８を備えている。このうち、水分離部２７ａは、例えば公知の気水分離器を含む構造を有し、電極反応の結果として燃料電池２１ａから排出される水（純水）や水蒸気を、排ガスを含む排出物から分離し、水収容部２７ｂを介して電気分解部２８へ供給する。ちなみに、この水分離部２７ａとして、後に［フラッディング対策］の手法としても説明するが、気液分離機や、ペルチェ素子等の冷体を利用した凝結器等を採用することも可能である。
【０１３６】
ちなみに、水分離部２７ａにおいて水分を分離された排ガスは、自動車の空気ブレーキ用の気体として自動車本体へ供給されてもよい。その際、供給される排ガスの温度やガス圧を調整することも好ましい。なおこの場合、電力供給装置２は、電力及びガス供給装置として機能することとなる。
【０１３７】
また、電気分解部２８は、水収容部２７ｂを介して供給された水又は水蒸気（Ｈ２Ｏ）を、供給された電力による電気分解処理によって水素（Ｈ２）及び酸素（Ｏ２）に分解し、生成した水素及び酸素をそれぞれ、燃料収容部２５及び酸素収容部２６ａへ供給する。ちなみに、この電気分解処理のための電力は、少なくともその一部が回生電力で賄われることも好ましい。
【０１３８】
ここで、回生電力とは、電動モータ駆動の自動車において、例えば下り坂の走行時や、ブレーキを使用しない減速時に、電動モータが走行の抵抗として機能する一方で発電機となって出力する電力のことである。電動モータ駆動の自動車では通常、回生電力は、自動車に搭載されたリチウム電池に蓄えられるが、このリチウム電池がフル充電されると熱として放出されてしまう。なお、回生電力は、船舶においても、例えば減速時のスクリュー回転から生成される。したがって、本電力供給装置２を船舶に適用した場合においても、このような回生電力を利用できるのである。
【０１３９】
いずれにしても本実施形態では、このように通常十分に活用されていない回生電力を利用して電気分解処理を行い、燃料電池２１ａにおける電極反応の原料を再生して再利用させている。言い換えると、無駄に廃棄されてきた回生電力をも燃料等の化学エネルギーに変換して蓄え、再活用しているのである。これにより、燃料電池自動車における燃費向上や必要時の馬力向上に貢献することも可能となる。
【０１４０】
また、燃料電池車では通常、走行中に相当量の水が道路上に排出されるが、例えば冬季にはこの水によって路面が凍結する等、問題が生じ得る。これに対し、本実施形態の電力供給装置２によれば、燃料電池２１ａから排出される水を、水収容部２７ｂに回収した上で電気分解用材料として使用するので、この水問題が大幅に改善されるのである。
【０１４１】
ちなみに、電気分解部２８は、燃料電池２１ａから熱交換部２９を介し熱を受けて電気分解対象の水蒸気を生成したり、電気分解対象の水の温度を上昇させたりして、電気分解における水素発生効率を向上させることも好ましい。また、この際、例えば電解質等の加熱による爆発等の発生を回避すべく、電気分解セルの温度をモニタし制御することも好ましい。さらに、電極間の印加電圧を高くして、電解質を使用せず電解質のモニタやメンテナンス等を不要とした電気分解処理を行うことも可能である。ここで、燃料電池２１ａ、水収容部２７ｂ及び電気分解部２８の各々に温度センサが設けられていて、制御部２０は、これらの温度センサから取得した温度計測値を制御指標の一種として、燃料電池２１ａ及び電気分解部２８を含む装置２全体の動作を制御することも好ましい。
【０１４２】
燃料収容部２５及び酸素収容部２６ａは、例えばボンベを含む構造を有し、それぞれ電気分解部２８から水素及び酸素を受け取って一先ず保存することができる。例えば電気分解部２８が回生電力によってこれらの水素及び酸素を生成する場合、その生成は断続的となる。これに対し、燃料収容部２５及び酸素収容部２６ａはそれぞれ、水素及び酸素のバッファ又は準備手段となり、水素及び酸素が安定して燃料電池２１ａに供給されることを可能とする。
【０１４３】
酸素量調整部２６ｂは、例えば公知のレギュレータを含む構造を有し、酸素収容部２６ａからの酸素をその量を調整しつつ空気収容部２４へ送る。具体的に、酸素量調整部２６ｂは、燃料電池２１ａの定格電力に応じて、十分に多量の酸素が燃料電池２１ａへ供給されるように酸素量を調整することも好ましいが、例えば、燃料電池２１ａにおける酸素量と電流又は電力を最大にする負荷との関係（例えば図３（Ｂ）又は図５（Ｂ）に相当する関係）に基づき、燃料電池２１ａに対する負荷に合わせて酸素をより多く消費させより大きな電力を得られるように、酸素量を調整することもできる。
【０１４４】
ここで、酸素収容部２６ａからの酸素は、空気収容部２４で空気に混入する形で燃料電池２１ａへ供給されるが、例えば、この酸素を相当に混入させ、空気よりも十分に高い酸素濃度を有する気体を燃料電池２１ａに導入して、より大きな電力を出力させることも可能となっている。
【０１４５】
なお、以上詳細に説明を行った電力供給装置２の適用先は当然に、自動車に限定されるものではない。例えば、電車、船舶（電動船を含む）、電動モータ駆動のドローンや、ヘリコプタ、さらには飛行機等にも適用可能であり、特に、空気の薄い高い高度の環境を飛行する電動飛行体における電力供給源としても適したものとなっている。また、気圧の低い高地における様々な装置・設備のための電源としても好適である。
【０１４６】
［電力及びガス供給システム］
図８は、本発明による電力及びガス供給システムの一実施形態を示す模式図である。
【０１４７】
図８によれば、本発明の一実施形態としての電力及びガス供給システム３は、
（ａ）太陽電池ユニット３１、及び電気分解ユニット３３と、
（ｂ）酸素収容部３４ａ、水素収容部３４ｂ、及び空気収容部３４ｃと、
（ｃ）燃料電池ユニット３５、及び熱交換部３８と、
（ｄ）排ガス調整部３６、水収容部３２、及び窒素収容部３７と、
（ｅ）センサ・遠隔調整部３ａ〜３ｌと、制御部としてのパーソナル・コンピュータ（ＰＣ）３９と
を備えている。
【０１４８】
このうち、太陽電池ユニット３１は、太陽電池を備えていて例えば屋外に設置されており、太陽光を受けて電力を生成し、当該電力を電気分解ユニット３３に供給する。電気分解ユニット３３は、当該電力を用いて水（純水）の電気分解を実施し、酸素及び水素を生成してそれぞれ、酸素収容部３４ａ及び水素収容部３４ｂへ送って蓄えさせる。また、このうち水素収容部３４ｂは、外部からも水素を取り入れ可能となっている。
【０１４９】
なお、酸素収容部３４ａ及び水素収容部３４ｂは各々、コンプレッサ、ガスボンベ、ガス圧・流量計及びレギュレータを備えているが、これらの（さらには後述する空気収容部３４ｃの）コンプレッサも、太陽電池ユニット３１からの電力で動作させることも好ましい。
【０１５０】
ここで、このような酸素及び水素の生成・蓄積は、太陽電池ユニット３１で発電が行われる例えば昼間に限定されることになる。しかしながら、酸素収容部３４ａ及び水素収容部３４ｂは、それぞれ酸素及び水素を予め高圧の状態で蓄えているので、例えば燃料電池ユニット３５で長時間又は夜間にこれらの気体を使用する場合においても、酸素（を含む空気）及び水素を安定的に燃料電池ユニット３５へ供給可能とするのである。
【０１５１】
また、電気分解ユニット３３における電気分解処理を密閉容器内で実施しつづければ、この密閉容器内のガス圧（酸素圧，水素圧）は通電時間ととともに増大するので、高圧状態の酸素及び水素をそれぞれ、酸素収容部３４ａ及び水素収容部３４ｂへ送ることも可能となる。
【０１５２】
次いで、同じくコンプレッサ、ガスボンベ、ガス圧・流量計及びレギュレータを備えた空気収容部３４ｃは、外部（例えば工場内の圧縮空気供給設備）から空気を取り込むとともに酸素収容部３４ａから酸素を導入して、設定された（空気よりも高い）酸素濃度を有する酸素混合空気を生成し、設定された（1気圧を超える）ガス圧を有する酸素混合空気を、燃料電池ユニット３５へ供給する。一方、水素収容部３４ｂも、この酸素混合空気のガス圧に合わせた高いガス圧を有する水素（燃料）を、燃料電池ユニットへ供給する。
【０１５３】
燃料電池ユニット３５は、より高いガス圧を有する酸素混合空気及び水素を用いてより大きな電力を生成し、システム外部の電力・不活性ガス消費装置・システムへ供給する。また、電力生成の際に発生した熱を、熱交換部３８を介して外部の動装置・システムへ供給してもよい。ここで、より高いガス圧を有する酸素混合空気を用いることによって、燃料電池の電極反応における実効的な酸素濃度（電極表面での反応にかかわる酸素密度）をより高くし、結果的により多くの酸素が消費されてより大きな電力が出力される。この点、本電力及びガス供給システム３は、システム内部（の電気分解ユニット３３）で酸素を生成して取得するので、通常の空気よりも高い酸素濃度を有する酸素混合空気を、外部の酸素供給源に頼ることなく燃料電池ユニット３５へ供給することができる。また、この酸素混合空気のガス圧をより高くして、実効的な酸素濃度を更に向上させることが可能となるのである。
【０１５４】
例えば分かりやすいケースとして、5気圧の高圧空気（酸素濃度：約20％）を用いれば、電極表面での反応にかかわる酸素密度は、単純計算の結果とはなるが1気圧の空気の5倍、すなわち概ね1気圧の純酸素を用いた場合相当となり、出力される電力が大幅に増大するのである。さらに、5気圧の酸素混合空気（酸素濃度：約30％）を用いれば、これも単純計算の結果とはなるが増大した当該電力の更に1.5（＝30/20）倍程度の出力電力が見込まれるのである。
【０１５５】
燃料電池ユニット３５はさらに、電力生成の際に発生する水・水蒸気を含む（酸素の十分に消費された）排ガスを、排ガス調整部３６に送る。排ガス調整部３６は、例えば水分離部２７ａ（図７）及び酸素吸収部１４２ａ（図１）と同様の機能構成を有しており、当該排ガスから水（及び水蒸気）を分離し、さらに多くの酸素分を除去して、当該排ガスを純度の高い窒素として、窒素収容部３７を介しシステム外部の電力・不活性ガス消費装置・システムへ供給する。
【０１５６】
排ガス調整部３６はさらに、排ガスから分離した水を水収容部３２へ送って蓄えさせる。水収容部３２は、蓄積した水（純水）を適宜、電気分解ユニット３３に供給する。なお、水収容部３２は、外部からも水を取り入れ可能となっていてもよく、また、イオン交換器や各種フィルタ等の公知の純水精製機能を備えていてもよい。
【０１５７】
パーソナル・コンピュータ（ＰＣ）３９は、本システムの制御部であって制御用のプログラムを搭載し、上述したシステム構成部に備え付けられたセンサ・遠隔調整部３ａ〜３ｌとの間で無線又は有線の通信を行ってシステム全体の動作の制御を行う。ここで使用される無線通信は、例えばWi-Fi（登録商標）等の無線ＬＡＮや、ZigBee（登録商標）、Bluetooth（登録商標）等の近距離無線通信とすることができ、さらには携帯電話通信網等の各種事業者通信網（アクセスネットワーク）やインターネットで構成してもよい。
【０１５８】
同じく図８において、センサ・遠隔調整部３ａは、太陽電池ユニット３１に設置されており、太陽電池の発電量を測定してＰＣ３９へ通知し、当該発電電力を、予めの設定に従い又はＰＣ３９からの指示により電気分解ユニット３３へ供給する。また、センサ・遠隔調整部３ｂは、水収容部３２に設置されており、排ガス調整部３６及び外部から供給される水の量を測定してＰＣ３９へ通知し、その流入量を、予めの設定に従い又はＰＣ３９からの指示により制御し、蓄えられた水を、予めの設定に従い又はＰＣ３９からの指示により電気分解ユニット３３へ供給する。
【０１５９】
さらに、センサ・遠隔調整部３ｃは、酸素収容部３４ａに設置されており、電気分解ユニット３３から供給される酸素の量を測定してＰＣ３９へ通知し、蓄えられた酸素を、予めの設定に従い又はＰＣ３９からの指示により空気収容部３４ｃへ供給する。また、センサ・遠隔調整部３ｄは、水素収容部３４ｂに設置されており、電気分解ユニット３３から供給される水素の量を測定してＰＣ３９へ通知し、蓄えられた水素を、予めの設定に従い又はＰＣ３９からの指示により所定のガス圧をもって燃料電池ユニット３５へ供給する。
【０１６０】
さらに、センサ・遠隔調整部３ｅは、空気収容部３４ｃに設置されており、酸素収容部３４ａから供給される酸素の量及び外部（例えば工場内の圧縮空気供給設備）から供給される空気の量を測定してＰＣ３９へ通知し、それらの流入量を、予めの設定に従い又はＰＣ３９からの指示により制御し、蓄えられた酸素混合空気における酸素濃度を測定してＰＣ３９へ通知し、当該酸素混合空気を、予めの設定に従い又はＰＣ３９からの指示により所定のガス圧をもって燃料電池ユニット３５へ供給する。なお、上記のセンサ・遠隔調整部３ｄで調整される（水素の）ガス圧は、この（酸素混合空気の）ガス圧と同等になるように設定されることも好ましい。
【０１６１】
また、センサ・遠隔調整部３ｆ及びセンサ・遠隔調整部３ｇは、燃料電池ユニット３５に設置されており、それぞれ燃料電池ユニット３５に供給される酸素混合空気及び水素の量を測定してＰＣ３９に通知し、それらの流入量及びガス圧を、予めの設定に従い又はＰＣ３９からの指示により制御する。さらに、センサ・遠隔調整部３ｈも、燃料電池ユニット３５に設置されており、燃料電池ユニット３５から出力される電力（及び電流）を測定してＰＣ３９に通知し、予めの設定に従い又はＰＣ３９からの指示により所定電力（所定電流）を外部の電力・不活性ガス消費装置・システムへ供給する。
【０１６２】
また、センサ・遠隔調整部３ｉも、燃料電池ユニット３５に設置されており、燃料電池ユニット３５から排ガス調整部３６へ排出される排ガスの量及びガス圧を測定してＰＣ３９に通知し、その流出量及びガス圧を、予めの設定に従い又はＰＣ３９からの指示により制御する。この際、この排ガスのガス圧を、センサ・遠隔調整部３ｆで制御される酸素混合空気のガス圧と同等となるように制御することも好ましい。さらに、センサ・遠隔調整部３ｊは、排ガス調整部３６に設置されており、排ガス調整部３６から窒素収容部３７に供給される処理後の排ガス（窒素ガス）の量を測定してＰＣ３９に通知する。
【０１６３】
また、センサ・遠隔調整部３ｋは、窒素収容部３７に設置されており、排ガス調整部３６から供給される処理後の排ガスの量を測定してＰＣ３９へ通知し、蓄えられた処理後の排ガス（窒素ガス）における酸素濃度をＰＣ３９へ通知し、当該窒素ガスを、予めの設定に従い又はＰＣ３９からの指示により、所定のガス圧をもって不活性ガスとして、外部の電力・不活性ガス消費装置・システムへ供給する。
【０１６４】
さらに、センサ・遠隔調整部３ｌは、熱交換部３８に設置されており、燃料電池ユニット３５から熱交換部３８を介して出力される熱量を測定してＰＣ３９へ通知し、予めの設定に従い又はＰＣ３９からの指示により所定量の熱を外部の電力・不活性ガス消費装置・システムへ供給する。
【０１６５】
ちなみに、センサ・遠隔調整部３ａ〜３ｌにおけるＰＣ３９とのデータ通信に用いられる通信インタフェースは、図８に示したようにセンサ・遠隔調整部３ａ〜３ｌの各々が備えていてもよいが、全ての又は一部のセンサ・遠隔調整部について共用可能な１つの又は複数の通信インタフェースが使用されてもよい。また、センサ・遠隔調整部３ａ〜３ｌは、ゲートウェイ等の中継装置又は所定のサーバを介してＰＣ３９と通信を行うことも好ましい。
【０１６６】
以上詳細に説明したように、ＰＣ３９は、センサ・遠隔調整部３ａ〜３ｌから刻々の各種測定データを受け取り、これらの測定データを用いて電力及びガス供給システムの構成ユニット・構成部の動作・状態を制御する。ここで、ＰＣ３９は、ニューラルネットワーク（ＮＮ）等の機械学習によって、これらの測定データを用いてシステム制御モデルを生成し、このシステム制御モデルを活用して適宜、所望量の電力、不活性ガス及び熱を出力できるように、センサ・遠隔調整部３ａ〜３ｌの各々の制御を行うことも好ましい。
【０１６７】
例えば具体的に、ＰＣ３９は、
（ａ）燃料電池ユニット３５にとって入力側となるセンサ・遠隔調整部３ａ〜３ｇのうちの選択された複数から送信される、所定期間における測定データの時系列から特徴ベクトルを生成し、
（ｂ）その際に燃料電池ユニット３５にとって出力側となるセンサ・遠隔調整部３ｈ〜３ｌのうちの少なくとも１つから送信される、当該所定期間における測定データの時系列を正解データとして、
（ｃ）ＮＮに対し、大量に生成した特徴ベクトルと正解データとをもって学習を行わせて制御モデルを生成し、
（ｄ）この制御モデルに対して、センサ・遠隔調整部３ａ〜３ｇのうちの選択された複数における時系列測定データを入力し、センサ・遠隔調整部３ｈ〜３ｌのうちの少なくとも１つにおける時系列測定データの予測値を取得し、
（ｅ）所望の時系列測定データ予測値をもたらすような（センサ・遠隔調整部３ａ〜３ｇのうちの選択された複数における）時系列測定データを決定して、決定した時系列測定データが実現するように、センサ・遠隔調整部３ａ〜３ｇに対し制御の指示を行うのである。
【０１６８】
勿論、ＰＣ３９における機械学習を用いたシステム制御は、上記のものに限定されるものではなく、その他の種々の形態の制御が実施可能となっている。
【０１６９】
［フラッディング対策］
以下、図１に示した電力及びガス供給装置１の第１燃料電池１１ａ（及び第２燃料電池１１ｂ）におけるフラッディング対策について説明を行う。
【０１７０】
図１に示した電力及びガス供給装置１において、第１燃料電池１１ａから排出される低酸素排ガスには、大量の水蒸気（水）が含まれているが、これに対し除湿等の対策を行わないと、第１燃料電池１１ａの電極（ＰＥＦＣ方式の場合、空気極）において多量の水蒸気分（水分）が電極反応を阻害するフラッディング（flooding）現象が発生してしまう。ちなみに、ＰＥＦＣ方式の燃料電池の場合、酸素イオン（Ｏ2-）の一部が電解質を通過して燃料極側でも水が生成される。したがって、燃料極側においてもフラッディング現象が発生する場合も少なくない。
【０１７１】
また、このような大量の水蒸気（水）を含む酸素排ガスを取り込んで動作する第２燃料電池１１ｂにおいても、同様のフラッディング現象が発生して酸素の消費が抑制され、その結果、極低酸素ガスを排出できなくなってしまう可能性が生じる。
【０１７２】
ここで、本願発明者等は、ホライゾン社製のＦＣＳ−Ｃ１００（ＰＥＦＣ方式，定格出力100W）燃料電池において、排ガス中の水分密度（ガス単位体積当たりのＨ2Ｏ重量）が、30〜40g/m3当たりに存在する閾値を超すと、燃料電池の動作（電力の出力）が断続的に且つ不安定になることを確認している。また、燃料電池の稼働直後において、排ガスの水含有量（湿度）を少なくとも60％未満とする湿度管理が、非常に重要となることを示す実験結果も得ている。
【０１７３】
本発明による電力及びガス供給装置１において、このようなフラッディング現象を抑制するため、例えば、以下の対策が挙げられる。
（ａ）排ガス中の水蒸気の蒸気圧を、飽和蒸気圧以下に制御する。
（ｂ）排ガスを冷却して排ガス中の水分を除去する。
（ｃ）公知の気水分離器を用い、排ガスに含まれる水蒸気の凝縮水を生成し分離する。
（ｄ）電極反応で生じた液水を外部へ排出するパージ手段を設ける。
（ｅ）電池セルにおけるガス流路の形状を、流入・流出抵抗の小さい形状にする。
【０１７４】
（ｆ）水分子との間で水素結合を形成するポリマをセパレータや電極位置に配し、水の排出を促進させる（特開２０１０−８６６９４号公報を参照）。
（ｇ）多層構造の多孔質体と、この多孔質体における電解質・電極（触媒層）とは反対側の位置に設けられた２種の流体を分離するガス不透過層とを用いて、水分を分離する（特開２００８−８４７０３号公報を参照）。
（ｈ）金属多孔質体の孔をガス流路とする燃料電池用セパレータを使用し、この金属多孔質体に直線状の貫通孔を設けて水分の排出を促す（特開２０１１−１４２４２号公報を参照）。
【０１７５】
ここで、上記（ｂ）で挙げられた対策ではあるが、ベルチェ素子を用いて排ガス中の水分を凝結させて除去することも好ましい。さらに、排ガスを断熱膨張させ、急冷して含まれる水分を水滴化し除去することもできる。
【０１７６】
また、熱交換器（例えば図１に示された熱交換部１５）を用いて排ガス中の水分を凝結させて除去することも好ましい。この場合、この除湿用の熱交換器として、ループヒートパイプを用いることができる。特に、薄板タイプのループヒートパイプを燃料電池の排出側に実装して使用することも好ましい。薄板タイプのループヒートパイプは、薄板状の蒸発器と熱拡散板（凝縮器）とが、同じく薄板状のヒートパイプ（蒸気管及び液管）で接続された構造を有しており、このうち蒸発器を排ガス中に暴露させて使用される。
【０１７７】
さらに、上記（ｄ）で挙げられた対策ではあるが、少なくとも水の生成される電極側（ＰＥＦＣ方式の場合、空気極側）の流路に空気等の気体を供給して、生成された水分をパージすることも好ましい。この際、例えば乾燥空気をパージガスとして用いてもよいが、本電力及びガス供給装置１においては、燃料電池（特に、第２燃料電池１１ｂ）にはできるだけ酸素分を投入したくない事情が存在する。そこで、第２燃料電池１１ｂに対し、例えば第１燃料電池１１ａからの排ガスを、ある程度除湿した上でパージガスとして使用することも好ましい。
【０１７８】
また、発泡装置を使用し、排ガスを冷水中においてマイクロ（ナノ）バブルにして通過させることにより、排ガス中の水分を除去することも有効である。
【０１７９】
さらに、シリカゲル及び／又はゼオライトを含む除湿器を用いて、排ガス中の水分を除去することもできる。この場合、除湿速度はそれほど高くないので、例えば排ガスを一先ずタンク（例えば図１に示された第１排ガス収容部１４ａ）に蓄え、当該タンク中に設けた、シリカゲル及び／又はゼオライトを含む除湿器によって排ガスの除湿を行うことも好ましい。なお、例えばシリカ及びアルミナを含有し両者の含有比を調整したゼオライト等、所定のゼオライトを含む除湿器を用いることによって、排ガス中の酸素分も吸収可能となる。
【０１８０】
また、このような除湿器を、例えば燃料電池から熱交換器を介して供給される熱をもって加熱し、吸収した水分や酸素分を取り出して、種々の用途に利用してもよい。
【０１８１】
ちなみに、図１に示された第１排ガス収容部１４ａには、湿度計１４４ａが設置されており、制御部１０（図１）は、収容部１４ａ内にバッファされた排ガスの湿度が所定閾値以下となった場合に、当該排ガスを第２燃料電池１１ｂに供給することも好ましい。
【０１８２】
また、気液分離機を用いて、排ガス流から液体（本実施形態では概ね純水）を分離・除去することも好ましい。この気液分離の方式として、重力分離型、遠心分離型、ミスト除去器パッド型、翼型分離型や、気圧分離コアレッサ型等が採用可能である。
【０１８３】
なお、以上に説明した種々のフラッディング対策手段は、例えば図１において、水蒸気吸収部１４１ａとして、又は水蒸気吸収部１４１ａの位置において、又は第２ガス圧調整部１２ｂと第１排ガス収容部１４ａとの間において設置され、機能させることができる。
【０１８４】
以上に説明したようなフラッディング対策手段を用い、電力及びガス供給装置１におけるフラッディング現象を抑制することによって、第１燃料電池１１ａを、さらには第２燃料電池１１ｂをも十分に動作させ、十分な電力と、良好な極低酸素ガス（不活性ガス）とを出力することが可能となるのである。
【０１８５】
以上詳細に説明したように、本発明の電力及びガス供給装置によれば、燃料電池を用い、電力と合わせて、酸素量の十分に小さい極低酸素ガスを供給することができる。また、本発明の電力供給装置によれば、酸素を含む気体をより高い気体圧で燃料電池に投入するので、より大きな電力を供給することが可能となる。さらに、本発明の不活性ガス供給装置によれば、燃料電池を用いて、酸素量の十分に小さい不活性ガスを供給することができるのである。
【０１８６】
現在、燃料電池の研究開発は世界的な規模で精力的に進められており、今後、燃料電池の世界市場規模は、現在の数十倍程度に拡大するとの予測も存在する。さらに、地方公共団体においても、水素エネルギー活用の一環として、燃料電池車や水素発電拠点の導入を積極的に進めるところが出てきている。このような現状に対し、燃料電池を活用した本発明は、そのような燃料電池の各種用途での利用拡大に大いに貢献するものと考えられる。
【０１８７】
なお、以上に述べた実施形態は全て、本発明を例示的に示すものであって限定的に示すものではなく、本発明は、他の種々の変形態様及び変更態様で実施することができる。従って、本発明の範囲は、特許請求の範囲及びその均等範囲によってのみ規定されるものである。
【符号の説明】
【０１８８】
１、１’  電力及びガス供給装置
１０、２０  制御部
１１Ａ、１１Ｂ、１１Ｃ、１１Ｄ  セル
１１ａ  第１燃料電池
１１ｂ  第２燃料電池
１１’、２１ａ  燃料電池
１１１ａ  第１負荷調整部
１１１ｂ  第２負荷調整部
１２ａ  第１ガス圧調整部
１２ｂ、１２’  第２ガス圧調整部
１３ａ  第１燃料圧調整部
１３ｂ、１３’  第２燃料圧調整部
１４ａ  第１排ガス収容部
１４ｂ  第２排ガス収容部
１４１ａ、１４１ｂ  水蒸気吸収部
１４２ａ  第１酸素量調整部
１４２ｂ、１４２ｃ  酸素量調整部
１４３ａ、１４３ｂ  ガス圧計
１４４ａ、１４４ｂ  湿度計
１５、２９、３８  熱交換部
２  電力供給装置
２１ｂ  負荷調整部
２２  ガス圧調整部
２３  燃料圧調整部
２４  空気収容部
２５  燃料収容部
２６ａ、３４ａ  酸素収容部
２６ｂ  酸素量調整部
２７ａ  水分離部
２７ｂ  水収容部
２８  電気分解部
３  電力及びガス供給システム
３１  太陽電池ユニット
３２  水収容部
３３  電気分解ユニット
３４ｂ  水素収容部
３４ｃ  空気収容部
３５  燃料電池ユニット
３６  排ガス調整部
３７  窒素収容部
３９  パーソナル・コンピュータ（ＰＣ）
３ａ、３ｂ、３ｃ、３ｄ、３ｅ、３ｆ、３ｇ、３ｈ、３ｉ、３ｊ、３ｋ、３ｌ  センサ・遠隔調整部
【図１】
2019129110.tif 000003
【図２】
2019129110.tif 000004
【図３】
2019129110.tif 000005
【図４】
2019129110.tif 000006
【図５】
2019129110.tif 000007
【図６】
2019129110.tif 000008
【図７】
2019129110.tif 000009
【図８】
2019129110.tif 000010